(57)【要約】      （修正有）【課題】交換時に簡単なツールだけで自ら修理ができて、放熱効率を改善しランプの長寿命化を達成できるランプの構造を提供する。【解決手段】ランプの構造は、本体１と、電源モジュール２と、少なくとも一つの発光素子４とを含み、前記本体は、第一の放熱エリア１１と、第二の放熱エリア１２と、収容溝１３とを備える。さらに、前記本体の両端が２本の電気端子３にそれぞれ電気的に接続され、前記電源モジュールが本体の収容溝に結合され、前記電源モジュールは、ケース２１と電源供給器２２とにより構成される。又、前記ケースは、電源供給器を設置するための収容空間２１１を有し、前記発光素子は本体と互いに結合され、発光素子が本体を直接的に介して放熱し、前記電源装置は、本体を頼らず、空気対流の方式により熱を自動的に放熱させる。【選択図】図１
0003164600.tif 000002
【実用新案登録請求の範囲】
【請求項１】
第一の放熱エリアと、第二の放熱エリアと、前記第一の放熱エリアと前記第二の放熱エリアとの間に位置された収容溝とを備え、両端が２本の電気端子にそれぞれ電気的に接続された本体と、
電源供給器と、電源供給器を設置するための収容空間が設けられたケースとを有し、本体の収容溝に結合された電源モジュールと、
前記本体と互いに結合された少なくとも一つの発光素子とを含むことを特徴とするランプの構造。
【請求項２】
前記第一の放熱エリアの面積が前記第二の放熱エリアより大きいことを特徴とする請求項１に記載のランプの構造。
【請求項３】
前記第一の放熱エリア及び前記第二の放熱エリアは、放熱フィンであることを特徴とする請求項１に記載のランプの構造。
【請求項４】
前記発光素子はLEDであることを特徴とする請求項１に記載のランプの構造。
【請求項５】
前記電源モジュールのケースが前記収容溝内に結合されていることを特徴とする請求項１に記載のランプの構造。
【請求項６】
前記本体の収容溝の底面に凹溝が設けられ、前記凹溝の両端にロック孔がそれぞれ設けられ、前記電源モジュールのケース底面に凸リブが設けられ、前記凸リブが前記収容溝の凹溝内に係止されていることを特徴とする請求項５に記載のランプの構造。
【請求項７】
前記電源モジュールは、前記ケーの両端にそれぞれ設けられた２つのサイドカバーをさらに含み、前記各サイドカバーに本体のロック孔に対応する孔が設けられ、前記電源モジュールは、前記締結部材により孔とロック孔を挿通して前記本体に結合されていることを特徴とする請求項１に記載のランプの構造。
【請求項８】
前記締結部材はねじであることを特徴とする請求項７に記載のランプの構造。
【請求項９】
さらに、本体と互いに結合されるカバーと２つの蓋とを含み、前記発光素子が前記本体と前記カバーとの間に配置され、前記２つの蓋は、前記本体とカバーの両端にそれぞれ結合されていることを特徴とする請求項１に記載のランプの構造。
【請求項１０】
さらに、発光素子と互いに結合された基板を含むことを特徴とする請求項１に記載のランプの構造。
【考案の詳細な説明】
【技術分野】
【０００１】
本考案はランプの構造に係り、特に電源モジュールを交換し易いランプの構造に関るものである。
【背景技術】
【０００２】
近年、LED製品が盛んに行われており、各業界において、光源に関わる設計として、いずれもLEDを利用しており、特に、照明機器の場合に最も使われている。現在、従来のLEDランプは、成熟かつ安定に発展しつつあるが、放熱の面においてなお不十分であり、今までの設計は、放熱部材上に発光装置と電源装置とがともに固着され、使用時に、発光装置と電源装置とがともに熱を発生し、且つ放熱部材を介して放熱して外部に伝達しなければならないが、放熱部材が直ちに放熱できない問題を生じ易くなり、発光装置または電源装置が同時或いはいずれか一つが損壊されることになり、いずれかの要因であっても、LEDランプ全体を廃棄しなければならないので、無駄になり、環境にも悪くなる。
【０００３】
さらに、近来DIYの傾向が盛んで、人々が専門職人を頼らず或いは雇わらないような行動を取り始め、適当なツールや材料で、例えば、自動車や家電製品を自らの手で修理するなどの作業を試すようになり、目的として、レクリエーションへの育成や、個性化アイデアまたは好みを発揮させる一方、家計の節約にも繋がるためである。
【０００４】
そのため、放熱やランプ全体の寿命が向上し、さらにランプが損壊されたときに、自らの手で修理、交換可能なランプの構造をどうすれば設計できるかが、本考案のしようとする課題である。
【考案の開示】
【考案が解決しようとする課題】
【０００５】
本考案の目的は、発光素子及び電源装置のモジュール化設計により、交換時に簡単なツールだけで自分で修理ができるといった効果を達成できるランプの構造を提供することにある。
【０００６】
本考案の次の目的は、本体を直接的に介して放熱する発光素子と、本体を頼らず、空気対流の方式により熱を自動的に放熱させる電源装置との位置を異なって設置することにより、双方が発生した温度が互いに干渉されず、放熱やランプ全体の寿命が向上される効果を達成できるランプの構造を提供することにある。
【課題を解決するための手段】
【０００７】
前記目的を達成するため、本考案によるランプの構造は、本体と、電源モジュールと、少なくとも一つの発光素子とを含む。本体は、第一の放熱エリアと、第二の放熱エリアと、収容溝とを備え、前記収容溝が第一の放熱エリアと第二の放熱エリアとの間に位置され、前記収容溝に電源モジュールが結合され、前記電源モジュールは、ケースと電源供給器とを有する。前記ケースは、電源供給器を設置するための収容空間を設けており、前記本体の両端が２本の電気端子にそれぞれ接続され、前記本体が発光素子と互いに結合される。前記発光素子は、本体を直接的に介して放熱し、前記電源装置は、本体を頼らず、空気対流の方式により熱を自動的に放熱させることによって、双方が発生した温度が互いに干渉しないで済む。
【考案の効果】
【０００８】
本考案は、発光素子及び電源装置のモジュール化の設計により、交換時に簡単なツールだけで自分で修理することができる。さらにまた、本体を直接的に介して放熱する発光素子と、本体を頼らず、空気対流の方式により熱を自動的に放熱させる電源装置との位置を異なって設置することにより、双方が発生した温度が互いに干渉されず、放熱やランプ全体の寿命が向上される効果を達成できる。
【図面の簡単な説明】
【０００９】
【図１】図１は、本考案に係るランプの構造を示す分解図である。
【図２】図２は、本考案に係るランプの構造を示す組合図である。
【図３】図３は、本考案に係るランプの構造を示す断面図である。
【図４】図４は、本考案に係るランプの構造を示す断面図である。
【考案を実施するための最良の形態】
【００１０】
以下に図面を参照しながら本考案について詳しく説明する。
なお、本考案は以下に例示した実施例の記載に限定されるものではない。
【００１１】
図１に示すように、本考案に係るランプの構造は、本体１と、電源モジュール２と、少なくとも一つの発光素子４とを含む。
本体１は、第一の放熱エリア１１と、第二の放熱エリア１２と、収容溝１３とを備える。収容溝１３が第一の放熱エリア１１と第二の放熱エリア１２との間に位置され、収容溝１３に電源モジュール２が結合される。
電源モジュール２は、ケース２１と電源供給器２２とを有する。ケース２１は、電源供給器２２を設置するための収容空間２１１を設けており、本体１の両端が２本の電気端子３にそれぞれ電気的に接続される。本体１が少なくとも一つの発光素子４と互いに結合されている（実施時に、基板８を加えても良い、該基板８が発光素子４と互いに結合される）。
【００１２】
そのうち、第一の放熱エリア１１の面積は第二の放熱エリア１２より大きく、第一の放熱エリア１１及び第二の放熱エリア１２は、放熱フィンである。発光素子４は、放熱フィンにより直接に放熱される。発光素子４はLEDである。本体１の収容溝１３の底面には凹溝１３１が設けられている。凹溝１３１の両端にロック孔１３２がそれぞれ設けられている。
電源モジュール２は、さらに、ケー２１の両端に設けられた２つのサイドカバー２３を含む。
各サイドカバー２３にはロック孔１３２に対応する孔２３１が設けられている。ケース２１の底面には凸リブ２１２が設けられている。電源モジュール２が本体１と結合されたときに、凸リブ２１２が収容溝１３の凹溝１３１内に係止される。締結部材５が孔２３１を挿通してロック孔１３２にロックされる。締結部材５はねじである。
【００１３】
また、好ましい本考案によるランプの構造は、さらに、カバー６と２つの蓋７とを含む。
本体１の両方にはガイド溝１４がそれぞれ設けられる。カバー６の両上縁にはガイド溝１４に対応する凸部６１が設けられる。カバー６と本体１とが結合されたときに、凸部６１がガイド溝１４に沿って摺動するように入れられる。発光素子４が本体１とカバー６との間に配置される。２つの蓋７は本体１とカバー６との両端にそれぞれ結合されている。
【００１４】
以上のように、本考案に係るランプの構造は、発光素子４及び電源装置２のモジュール化設計により、交換時に簡単なツールだけで自分で修理できるといった効果を達成できる。また、本体１を直接的に介して放熱する発光素子４と、本体１を頼らず、空気対流の方式により熱を自動的に放熱させる電源装置２との位置を異なって設置することにより、双方が発生した温度が互いに干渉されず、放熱やランプ全体の寿命が向上される効果を達成できることを特徴とする。
【００１５】
以上の説明は単に本考案の好ましい実施例の記載に過ぎず、本考案の請求の範囲を限定するものではなく、当該分野における通常の知識を有する者が適宜行う変更や修飾等も本考案の範囲に福負けるべきことは言うまでもない。
【符号の説明】
【００１６】
１・・・・・本体
２・・・・・電源モジュール
３・・・・・電気端子
４・・・・・発光素子
５・・・・・締結部材
６・・・・・カバー
７・・・・・蓋
８・・・・・基板
１１・・・・第一の放熱エリア
１２・・・・第二の放熱エリア
１３・・・・収容溝
１４・・・・ガイド溝
２１・・・・ケース
２２・・・・電源供給器
２３・・・・サイドカバー
１３１・・・凹溝
１３２・・・ロック孔
２１１・・・収容空間
２３１・・・孔
【図１】
0003164600.tif 000003
【図２】
0003164600.tif 000004
【図３】
0003164600.tif 000005
【図４】
0003164600.tif 000006